(57)【要約】      （修正有）【課題】側片と角底片との近接部位において内側に容易に折り曲げられ、折りたたみ時に容積を減少させることの容易な軟質プラスチックス製の包装用容器を提供すること。【解決手段】正面片１０、背面片１２、両側片１４及び角底片１６がそれぞれ備えられるとともに、角底片１６と反対側の部位に収納口２２が開口された軟質プラスチックス製の直方体状の折りたたみ自在な包装用容器１について、それぞれの側片１４の中央に、その角底片１６側から正面片１０及び背面片１２に沿って側片中折り目１４ｂが形成され、角底片１６の中央に、両側片１４間方向に沿って角底片中折り目１６ｂが形成され、側片１４及び角底片１６の連接部位付近において、側片１４に切り欠きＥを設けた。【選択図】図３
2010168066.tif 000002
【特許請求の範囲】
【請求項１】
正面片１０、背面片１２、両側片１４及び角底片１６がそれぞれ備えられるとともに、角底片１６と反対側の部位に収納口２２が開口された軟質プラスチックス製の直方体状の折りたたみ自在な包装用容器であって、
それぞれの側片１４の中央に、その角底片１６側から正面片１０及び背面片１２に沿って側片中折り目１４ｂが形成され、
角底片１６の中央に、両側片１４間方向に沿って角底片中折り目１６ｂが形成され、
側片１４及び角底片１６の連接部位付近において、側片１４又は角底片１６の少なくとも一方に、切り欠きＥが備えられたことを特徴とする軟質プラスチックス製の折りたたみ自在な包装用容器。
【請求項２】
前記側片１４に設けられた前記切り欠きＥの角底片１６側から収納口２２側に向かう長さαが、前記角底片１６の幅の２分の１以上に設けられた、又は、角底片１６に設けられた前記切り欠きＥの両側片１４間方向に沿う長さが、前記側片１４の幅の２分の１以上に設けられたことを特徴とする請求項１に記載の軟質プラスチックス製の折りたたみ自在な包装用容器。
【請求項３】
前記包装用容器が、気泡を備えた軟質プラスチックス製であることを特徴とする請求項１又は請求項２に記載の軟質プラスチックス製の折りたたみ自在な包装用容器。
【請求項４】
同形状の正面片１０及び背面片１２と、正面片１０と背面片１２の間に連接された角底片１６と、正面片１０又は背面片１２の側部のいずれかにそれぞれ連接される二つの側片１４と、該両側片１４の側部にそれぞれ連接された糊代片１８とが備えられ、
正面片１０と角底片１６の連接部位に正面側折り目１６ａが水平方向に形成され、
角底片１６の中央に該正面側折り目１６ａと平行に底片中折り目１６ｂが形成され、
背面片１０と角底片１６の連接部位に該正面側折り目１６ａ及び該底片中折り目１６ｂと平行に背面側折り目１６ｃが形成され、
正面片１０又は背面片１２と前記側片１４との連接部位に側片折り目１４ａが形成され、
該側片１４の中央に該側片折り目１４ａと平行に側片中折り目１４ｂが形成され、
側片１４と糊代片１８の連接部位に糊代片用折り目１８ａが設けられ、
該側片１４の角底片１６側端部又は該底片１６の側片１４側端部に切り欠きＥが設けられたことを特徴とする軟質プラスチックス製の折りたたみ自在な包装用容器用シート。
【請求項５】
前記切り欠きＥを、側片１４に設けられた前記切り欠きＥの角底片１６側から正面片１０及び背面片１２に沿う長さが、前記角底片１６の幅の２分の１以上に設けられる、又は、角底片１６に設けられた前記切り欠きＥの両側片１４間方向に沿う長さが、前記側片１４の幅の２分の１以上に設けられることとしたことを特徴とする請求項４に記載の軟質プラスチックス製の折りたたみ自在な包装用容器用シート。
【請求項６】
気泡を備えた軟質プラスチックスであることを特徴とする請求項４又は請求項５に記載の軟質プラスチックス製の折りたたみ自在な包装用容器用シート。
【請求項７】
請求項４から請求項６に記載のいずれかの軟質プラスチックス製の折りたたみ自在な包装用容器用シートの二つが、正面片１０又は背面片１２の上端部同士において基準折り目４２を境にして連接されたことを特徴とする軟質プラスチックス製の折りたたみ自在な包装用容器用シート。
【請求項８】
請求項７に記載の軟質プラスチックス製の折りたたみ自在な包装用容器用シートを複数以上連接して形成されることを特徴とする包装用容器。
【請求項９】
前記包装用容器の複数個以上が収納口２２を並設して開口するように連接された包装用容器であって、前記連接される包装用容器又は包装用容器用シートの間の少なくとも一箇所に、一側に取っ手５４が他側に結合用シート部５６が備えられた中シート５０が配設されたことを特徴とする請求項８に記載の軟質プラスチックス製の折りたたみ自在な包装用容器。
【請求項１０】
前記正面片１０及び背面片１２の上端に取り出し用切り欠き２４を形成したことを特徴とする請求項１から請求項９のいずれかに記載の軟質プラスチックス製の折りたたみ自在な包装用容器又は包装用容器用シート。
【請求項１１】
前記した折り目がミシン目により形成されたことを特徴とする請求項１から請求項１０のいずれかに記載の軟質プラスチックス製の折りたたみ自在な包装用容器又は包装用容器用シート。
【発明の詳細な説明】
【技術分野】
【０００１】
この発明は、軟質プラスチックス製の折りたたみ自在な包装用容器及び包装用容器用シートに関する。
【背景技術】
【０００２】
この種の従来例として電気通信回路「ｈｔｔｐ：／／ｗｗｗ．ｂｅｓｔｃａｒｔｏｎ．ｃｏｍ．／ｋａｎｓｙｏ／６２０１／ｉｎｄｅｘ．ｈｔｍｌ」（非特許文献１）を通じて公衆に利用可能となった発明が知られている。この従来例は、軟質プラスチックス製の正面片、背面片、両側面片及び角底片からなる包装用容器であり、角底片の反対側に開口された収納口より、内部に収納物を出し入れすることができるように構成されている。そして、両側面片及び角底片のそれぞれの中央に折り目が形成されており、内部に収納物を収納していない場合には、これらの折り目に沿って両側片及び角底片を折りたたむことによって包装用容器の厚みを減らすることができる。このようにして、従来例では、非収納時の包装用容器をコンパクトにすることにより、折りたたみ時の包装用容器自体を収納する際に必要とするスペースを減少させたり、折りたたみ時の包装用容器の運搬の際の利便性を向上させることができる。
【０００３】
また、この従来例では、側片と角底片は、中央の折り目に沿って包装用容器の内側方向に向けて折りたたまれるようにして、折りたたんだ際に、側片と角底片とが包装用容器外側方向に飛びでないようにして、折りたたみ時の包装用容器の正面視における面積を減少させ、折りたたみ時の包装用容器の容積を減少させるように構成されている。
【先行技術文献】
【非特許文献】
【０００４】
【非特許文献１】電気通信回路  「ｈｔｔｐ：／／ｗｗｗ．ｂｅｓｔｃａｒｔｏｎ．ｃｏｍ．／ｋａｎｓｙｏ／６２０１／ｉｎｄｅｘ．ｈｔｍｌ」
【発明の概要】
【発明が解決しようとする課題】
【０００５】
しかしながら、従来例の包装用容器の側片と角底片とは、分離されることなく互いに連設され、また、側片及び角底片は共に正面片及び背面片とも連設されている。したがって、両側片の中央の折り目、及び角底片の中央の折り目を内側に向けて折曲するようにこの包装用容器を折りたたもうとすると、側片と角底片との連設部位、すなわち包装用容器の左右下部の角部付近の部位については、側片及び角底片がそれぞれ内側に向けられる応力が干渉することになる。すなわち、この部位は、互いに直交する方向において近接しようとするが、例えば内側に折りたたむための折り目を予めつけておけば容易に内側に折りたたむことのできる紙袋のような材質と異なり、所定以上の対屈曲性を備えている軟質プラスチックスでは、側片及び角底片を共に内側に折り曲げようとして予め折り目を付けておいても、内側に完全に折りたたむことは容易ではない。よって、結局、当該連接部位付近において、干渉し合う側片又は角底片のいずれかが包装用容器の外側に飛び出たり、あるいは、側片及び角底片の双方ともが外側に飛び出してしまうおそれがあった。またさらには、当該連接部位付近だけではなく側片全体又は角底片全体までもが包装用容器の外側に飛び出るおそれもあった。このように、従来例では、包装用容器の側片及び角底片の全てを内側に折りたたむことによる包装用容器の容積の減少という目的は達成し難いものとなっていた。
【０００６】
また、包装用容器の折りたたみ時に、側片及び角底片の全てを内側に折りたたむことが困難であるので、無理に内側に折りたたもうとすると、連接部位付近のみが外側に飛び出し、それ以外の部位は内側に折りたたまれた状態となる場合があり、折りたたみ時の包装用容器の美観を大きく損ねることとなっていた。
【０００７】
また、このような課題は、予め折り目を形成していても折り目に沿って一方向にのみ折れ曲がるようにし難い厚み・硬さを有し所定以上の対屈曲性を有する軟質プラスチックス製の包装用容器において顕著である。このような包装用容器では、側片及び角底片が内側に折り曲げられることを意図して折り目を形成しておいても、例えば紙製の包装用容器であれば、その側片及び角底片が繰り返し内側に折りたたまれるように折り目を形成できるのに対し、所定以上の厚みや硬さを有し所定以上の対屈曲性を有する軟質プラスチックス製の包装用容器では、内側にかならず折りたたまれるように折り目を形成することは困難である。特に、収容物を保護するために、従来例のように気泡を有しクッション性に富む軟質プラスチックスが用いられることが多いが、このような包装用容器は一定の厚みを有し所定の対屈曲性を備えているために、連接部位において互いに干渉し合う側片及び角底片をともに内側に折りたたむことが可能な折り目を形成することは非常に困難である。
【０００８】
この発明が解決しようとする目的は、上記の従来技術の問題点を解決するものであり、側片と角底片との近接部位において内側に容易に折り曲げられ、折りたたみ時に容積を減少させることの容易な軟質プラスチックス製の包装用容器を提供することにある。
【課題を解決するための手段】
【０００９】
本発明の第１の手段は、
正面片１０、背面片１２、両側片１４及び角底片１６がそれぞれ備えられるとともに、角底片１６と反対側の部位に収納口２２が開口された軟質プラスチックス製の直方体状の折りたたみ自在な包装用容器であって、
それぞれの側片１４の中央に、その角底片１６側から正面片１０及び背面片１２に沿って側片中折り目１４ｂが形成され、
角底片１６の中央に、両側片１４間方向に沿って角底片中折り目１６ｂが形成され、
側片１４及び角底片１６の連接部位付近において、側片１４又は角底片１６の少なくとも一方に、切り欠きＥが備えられたことを特徴とする軟質プラスチックス製の折りたたみ自在な包装用容器である（請求項１）。
【００１０】
このような「切り欠き」を備えることにより、所定以上の厚みを有するなど対屈曲性が高い軟質プラスチックス製の包装用容器であっても、側片１４及び角底片１６を内側に折り曲げる際に、側片１４及び角底片１６が、それぞれ隣り合う角底片１６又は側片１４に与える応力を大きく減少ないしは寸断させることができる。よって、側片１４及び角底片１６の双方を内側に折り曲げる際の支障を取り除き、側片１４及び角底片１６を共に包装用容器の内側に向けて容易に折りたたむように構成することができる。
【００１１】
また、本発明の包装用容器は、折りたたみ時には、たとえばゴムバンドなど適宜の結束手段により折りたたみ状態を保持されているが、使用時には結束手段を取り外すと、素材が有する反発力により両側片１４及び角底片１６がそれぞれ平坦に近い状態にまで自然に伸び、被包装物を収容するのに十分な収納口２２を形成することができる。
【００１２】
ここで「切り欠き」は、隣り合う側片１４又は角底片１６のうち、側片１４のみ、又は角底片１６のみ、あるいは側片１４及び角底片１６の両方に設けることができる。「切り欠き」には側片１４等を切除したような形状の他、単なる「切り込み」も含む。また、切り欠きの形状は、側片１４や角底片１６の端部を短く縮めたものとすることや、側片１４や角底片１６の端部のうちの一部のみを削ったものなど種々のものが考えられる。また、その形状も、方形、三角、半円など種々のものが考えられる。
【００１３】
また、前記した手段において、側片１４に設けられた前記切り欠きＥの角底片１６側から収納口２２側に向かう長さαが、前記角底片１６の幅の２分の１以上に設けられる、又は、角底片１６に設けられた前記切り欠きＥの両側片１４間方向に沿う長さαが、前記側片１４の幅の２分の１以上に設けられるものとすることもできる（請求項２）。
【００１４】
このように切り欠きＥの長さを設けることにより、内側に折りたたんだ側片１４と角底片１６の頂点が互いに干渉し合わないように位置するように設けることができる。
【００１５】
すなわち、側片１４又は角底片１６は、内側に折りたたんだ状態でその幅の２分の１の距離だけ内側に突出する。そして側片１４及び角底片１６は、内側に折りたたんだ際には互いに直交する方向に突出するので、それぞれ、相手方の幅の２分の１以上の長さを切り欠けば互いに干渉することがない。このように切り欠きＥを設けることにより、互いの干渉を一切生じさせることが無く、側片１４及び角底片１６のいずれも容易に内側に折りたたむことができる。
【００１６】
また、気泡を備えた軟質プラスチックス製の包装用容器に前述したいずれかの発明を適用することもできる（請求項３）。
【００１７】
気泡を備えた軟質プラスチックス（いわゆる「エアークッション」）は所定以上のクッション性を備えており被包装物の保護に有用であるが、一方、所定の厚みを有し、また、２枚のシート間に気泡状のクッション部を備えているために対屈曲性が高い。よって、折り目を付けても常に一方向に折りたたむことができるようにすることは特に困難である。したがって、本発明のような切り欠きＥを設けることにより、側片１４及び角底片１６のいずれをも同時に内側に容易に折りたたむことができるように構成することができるので、被包装物の十分な保護と同時に折りたたみ時の減容を実現するのに好適である。気泡を備えた軟質プラスチックスの例としては、気泡を構成するエンボスフィルムと平坦な一側のバックシートの二層からなるものや、両側のバックシート２，２間に気泡を構成するエンボスフィルム３を挟んで三層からなるものなどがある。
【００１８】
また、本発明の第４の手段は、同形状の正面片１０及び背面片１２と、正面片１０と背面片１２の間に連接された角底片１６と、正面片１０又は背面片１２の側部のいずれかにそれぞれ連接される二つの側片１４と、該両側片１４の側部にそれぞれ連接された糊代片１８とが備えられ、
正面片１０と角底片１６の連接部位に正面側折り目１６ａが水平方向に形成され、
角底片１６の中央に該正面側折り目１６ａと平行に底片中折り目１６ｂが形成され、
背面片１０と角底片１６の連接部位に該正面側折り目１６ａ及び該底片中折り目１６ｂと平行に背面側折り目１６ｃが形成され、
正面片１０又は背面片１２と前記側片１４との連接部位に側片折り目１４ａが形成され、
該側片１４の中央に該側片折り目１４ａと平行に側片中折り目１４ｂが形成され、
側片１４と糊代片１８の連接部位に糊代片用折り目１８ａが設けられ、
該側片１４の角底片１６側端部又は該底片１６の側片１４側端部に切り欠きＥが設けられたことを特徴とする軟質プラスチックス製の折りたたみ自在な包装用容器用シート（請求項４）である。
【００１９】
このような包装用容器用シートでは、角底片１６を境にして正面片１０を背面片１２に向けて折曲させ、両側片１４を両糊代片１８とともにそれぞれ正面片１０又は背面片１２側に折り曲げるとともに糊付けをして結合することにより、軟質プラスチックス製の折りたたみ自在な包装用容器を容易に得ることができる。
【００２０】
また、前述した軟質プラスチックス製の折りたたみ自在な包装用容器用シートにおいて、前記切り欠きＥを、側片１４に設けられた前記切り欠きＥの角底片１６側から正面片１０及び背面片１２に沿う長さαが、前記角底片１６の幅の２分の１以上に設けられる、又は、角底片１６に設けられた前記切り欠きＥの両側片１４間方向に沿う長さαが、前記側片１４の幅の２分の１以上に設けられることとしても良く（請求項５）、また、前述した軟質プラスチックス製の折りたたみ自在な包装用容器用シートを、気泡を備えた軟質プラスチックスとしても良い（請求項６）。
【００２１】
また、前記した第４から第６の手段の軟質プラスチックス製の折りたたみ自在な包装用容器用シート３０の二つが正面片１０又は背面片１２の上端部同士において基準折り目４２を境にして連接されるものとしても良い（請求項７）。
【００２２】
このような二つの包装用容器用シート３０を基準折り目４２を介して対称に連接した包装用容器用シート４０とすることにより、それぞれの包装用容器用シート３０を糊付けしてそれぞれ収納部２０を形成するとともに基準折り目４２を折り曲げるだけで、二つの収納部２０を備えた包装用容器を極めて簡単に製造することができる。また、これらの二つの収納部２０を備えた包装用容器用シート３０をさらに複数以上連接して多数の収納部２０を備えた包装用容器を容易に製造することもできる（請求項８）。
【００２３】
また、前述した包装用容器の複数個以上が収納口２２を並設して開口するように連接された包装用容器であって、前記連接される包装用容器又は包装用容器用シートの間の少なくとも一箇所に、一側に取っ手５４が他側に結合用シート部５６が備えられた中シート５０が配設されるものとしても良い（請求項９）。
【００２４】
このような中シート５０を設けることにより、中シート５０を包装用容器の取っ手５４として利用することができ、持ち運びを容易にすることができる。また、複数以上の包装用容器等のいずれかの間に中シート５０を配設するだけで足り、このような取っ手５４付きの包装用容器を簡便に製造することができる。
【００２５】
また、前述した包装用容器又は包装用容器用シートであって、正面片１０及び背面片１２の上端に取り出し用切り欠き２４を形成することとしても良い（請求項１０）。
【００２６】
このような取り出し用切り欠き２４を設けることにより、包装用容器の収納部２０内に収納された被収納物が収納部２０奥に有る場合でも直接掴み易くすることができる。よって、被収納物の取り出しを容易にすることができる。
【００２７】
また、前記した各折り目をミシン目により形成するものとしても良い（請求項１１）。
【００２８】
包装用容器、包装容器用シートに気泡を備えた軟質プラスチックスが採用された場合、空気を内包した多数の気泡が存在することにより、弾発性に富み、被包装物の保護に優れる有利性がある。一方、折りたたみ時には、とりわけ、折目線上に存在する多数の気泡群の弾発性が障害になる。気泡内に空気が密封状態に存在することにより、折り曲げ難いので、折り曲げたときに気泡内から空気を排出し、折り曲げ易くできるようにするために、スリッターミシンや活版ミシンなどにより、ミシン目による折目を形成すると良い。
【発明の効果】
【００２９】
本発明は、上記の構成であるから、側片及び角底片を中央に形成された折り目を境にして内側へ向けて略断面Ｖ字状に二重に積層された板状に折り曲げることができる。よって、側片及び角底片共に正面片及び背面片の面積内に存在し、正面片及び背面片から飛び出ることがないので、折りたたみ時の包装用容器の容積を最小に減少させることができる。したがって、収納部内に被収納物を収納しない包装用容器の保管時や搬送時の嵩張りを減少させることができ、保管等のコスト低減や利便性の向上を図ることができる。
【００３０】
また、請求項４から請求項９の発明においては、包装用容器を極めて簡便に製造することもできる。また、請求項９の発明においては、持ち運びが容易な包装用容器を提供することもできる。また、請求項１０の発明においては、被収納物の取り出しを容易にすることにより利便性を向上させた包装用容器を提供することもできる。
【図面の簡単な説明】
【００３１】
【図１】本発明の包装用容器の斜視図である。
【図２】本発明の包装用容器を構成する軟質プラスチックス製シートの拡大断面図である。
【図３】図１の包装用容器を折りたたんだ状態の斜視図である。
【図４】図１の包装用容器の右側面下部の一部透視側面図である。
【図５】図１の包装用容器の右側下部の一部透視斜視図である。
【図６】（ａ）別の包装用容器の右側面下部の側面図、（ｂ）別の包装用容器の右側下部の正面図である。
【図７】さらに別の包装用容器の右側下部の斜視図である。
【図８】さらに別の包装用容器の右側下部の斜視図である。
【図９】さらに別の包装用容器の斜視図である。
【図１０】図９の包装用容器を折りたたんだ状態の斜視図である。
【図１１】さらに別の包装用容器の右側下部の斜視図である。
【図１２】さらに別の包装用容器の右側下部の斜視図である。
【図１３】図１２の包装用容器を折りたたんだ状態の一部斜視図である。
【図１４】包装用容器用シートの斜視図である。
【図１５】図１４の包装用容器用シートを糊付けして形成された包装用容器の斜視図である。
【図１６】図１５の包装用容器の使用時の斜視図である。
【図１７】別の包装用容器用シートを展開した正面図である。
【図１８】図１７の包装用容器用シートを糊付けして形成された包装用容器の斜視図である。
【図１９】さらに別の包装用容器の使用時の斜視図である。
【図２０】さらに別の包装用容器の使用時の斜視図である。
【図２１】図２１の包装用容器に用いる中シートの正面図である。
【発明を実施するための形態】
【００３２】
次いで、本発明の包装用容器について、図面を参照して詳細に説明する。本発明は、対屈曲性の高い軟質プラスチックス、特に気泡を備えた軟質プラスチックス製の包装用容器において、両側片及び角底片の隣接部位において、両側片又は角底片のいずれか又は両方に切り欠きを設けるという比較的簡単な構成により、包装用容器の折りたたみ時の容積を減少させる目的を達成しようとするものである。
【００３３】
図１に示すのは、収納部２０が一つだけ形成された包装用容器１ａである。包装用容器１ａは軟質プラスチックス製であり、図２に示すように両側のバックシート２，２間に、気泡を構成するエンボスフィルム３を挟んで構成される、いわゆる「エアークッション」と呼ばれるものから形成されている。なお、以下に説明する図面の一部においては、この気泡の図示を省略する。
【００３４】
この包装用容器１ａには、正面片１０、背面片１２、両側片１４及び角底片１６が備えられている。正面片１０はやや横長の長方形状に形成されており、この正面片１０とほぼ同形状に背面片１２が形成されている。また、両側片１４及び角底片１６は帯状の細長の長方形状に形成されており、これらの幅はほぼ同一に形成されている。
【００３５】
正面片１０と角底片１６との境界には正面片１０に対して角底片１６が内側に折り曲げられるように設けられた正面側折り目１６ａが形成されている。また、背面片１２と角底片１６との境界には背面片１２に対して角底片１６が内側に折り曲げられるように設けられた背面側折り目１６ｃが形成されている。
【００３６】
また、角底片１６の短手方向の中央には、正面側折り目１６ａ及び背面側折り目１６ｃと平行に、底片中折り目１６ｂが形成されている。底片中折り目１６ｂは、正面側折り目１６ａ及び背面側折り目１６ｂとは反対に、包装用容器１ａ内側に向けて突設するように形成されている。
【００３７】
両側片１４はそれぞれ背面片１２の左右端部に連接されており、連接部位には、側片折り目１４ａが形成されている。また、両側片１４の短手方向の中央には、正面片１０及び背面片１２と平行に、側片中折り目１４ｂが形成されている。側片中折り目１４ｂは、側片折り目１４ａとは反対に、包装用容器１ａ内側に向けて突設するように形成されている。なお、後述するが、両側片１４の下端は正面片１０および背面片１２よりも上方までにとどまる長さに設けられており、両側片１４の下端と角底片１６の両端との間に切り欠きＥ１が形成されるように設けられている。
【００３８】
背面片１２は、正面視左側の側片１４に連設される左背面片１２ａと正面視右側の側片１４に連設される右背面片１２ｂとから構成されている。また、左背面片１２ａ又は右背面片１２ｂと側片１４との連設部位には背面側折り目１２ｃがそれぞれ形成されている。そして、これらの左背面片１２ａ及び右背面片１２ｂを糊付けすると共に、それぞれを角底片１６と糊付けすることにより、全体として包装用容器１ａを形成している。
【００３９】
なお、前述した各折り目は、スリッターミシンや活版ミシンによりミシン目として形成される。  包装用容器１ａに気泡を備えた軟質プラスチックスが採用された場合、  空気を内包した多数の気泡が存在することにより、弾発性に富み、被包装物の保護に優れる有利性があるが、一方、折りたたみ時には、とりわけ、折目線上に存在する多数の気泡群の弾発性が障害になる。気泡内に空気が密封状態に存在することにより、折り曲げ難いので、折り曲げたときに気泡内から空気を排出し、折り曲げ易くできるように前記したスリッターミシンなどにより、ミシン目による各折り目が形成されている。
【００４０】
そして、これらの正面片１０、背面片１２及び両側片１４に囲まれた部位がＣＤ−ＲＯＭ等の被収納物を収納する収納部２０として設けられており、その開口部は収納口２２とされている。
【００４１】
次いで切り欠きＥ１について説明する。切り欠きＥ１は両側片１４のそれぞれの下端に形成されており、角底片１６の端部との間に形成されている。切り欠きＥ１の左右方向の幅は側片１４の幅と同等に設けられており、側片１４の下端を切り落とすようにして形成されている。また、切り欠きＥ１の高さα（特許請求の範囲で言う「長さα」）、すなわち角底片１６から収納口２２方向への長さは包装用容器１ａを構成する軟質プラスチックの厚みと同等に設けられており、具体的には、５ｍｍ程度に設けられている。なお、このように切り欠きＥ１の高さαが短く抑えられているので、側片１４および角底片１６から形成される包装用容器１ａの下部角部において、内部に収容される被収納物の保護がより確実になされる。特に、切り欠きＥ１の高さαが側片１４や角底片１６の幅の２分の１以下に抑えられるとこのような保護を期待できる。
【００４２】
次いで、包装用容器１ａの作用について説明する。包装用容器１ａを使用する際には、前述の通り収納口２２より収納部２０内に被包装物を収納する。一方、収納部２０内に被収納物を収納せずに、包装用容器１ａを保管したり、搬送したりする際には、図３に示すように、側片中折り目１４ｂ及び角底片中折り目１６ｂが包装用容器１ａ内側方向に突出するようにして両側片１４及び角底片１６を折りたたみ、正面片１０及び背面片１２を接近させるようにして包装用容器１ａを折りたたむ。
【００４３】
この際に、側片１４の下端及び角底片１６の両横端は以下のように折りたたまれる。側片１４の下端及び角底片１６の両横端は、切り欠きＥ１が設けられていることにより、互いを内側に折りたたむ際には相手方の部材に対して応力を及ぼしがたい。一方、両部位は内側に折りたたまれると、正面視において重なり合うように、側片中折り目１４ｂと角底片中折り目１６ｂとが互いに直交するように突出していくが、いずれか一方が正面片１０寄りに、他方が背面片１２寄りに突出することにより、互いに干渉し合わずに正面視において重なり合うようにして折りたたむことができる（図４、図５参照）。このようにして、側片１４及び角底片１６の隣接部位においても、容易に包装用容器１ａ内側に向けて折りたたむことができる。また、互いに干渉し合わない隣接部位から離れた部位（すなわち、側片１４においては側片１４中央や上方よりの部位、角底片１６においては角底片１６中央付近の部位）においては、当然ながら容易に包装用容器１ａ内側に向けて折りたたむことができる。
【００４４】
また、図６（ａ）、（ｂ）に示すような、切り欠きＥ１の高さαが側片１４や角底片１６の幅の２分の１に近い包装用容器１ａの場合には、前述と同様に側片中折り目１４ｂと角底片中折り目１６ｂとが互いに直交するように突出し、いずれか一方が正面片１０寄りに、他方が背面片１２寄りに突出することにより、互いに干渉し合わずに正面視において重なり合うようにして折りたたむことができるほか、図６（ａ）、（ｂ）に示すように、内側に折りたたんだ側片１４又は角底片１６の中折り目が、他方の中折り目の間に圧入されるようにして両部材を内側に折りたたむ状態とすることもできる。包装用容器が硬質プラスチックスなどの硬い材質からなる場合には、内側に折りたたんだ側片１４又は角底片１６の中折り目の一方が、他方の中折り目の間に圧入されることは、材質の変形量が小さいため困難であるが、本例のような軟質プラスチックス製であれば一定の弾力性を有するため、このように中折り目の一方が、他方の中折り目の間に圧入されるようにして折りたたむことも可能である。一方で、切り欠きＥ１の高さαが側片１４や角底片１６の幅の２分の１よりも相当小さい場合には、材質の変形量も限界があるため、図６のように一方の中折り目が他方の中折り目の間に圧入されて折りたたまれるのではなく、図４，５に示されるように、側片中折り目１４ｂと角底片中折り目１６ｂとが互いに直交するように突出し、いずれか一方が正面片１０寄りに、他方が背面片１２寄りに突出することにより、互いに干渉し合わずに正面視において重なり合うようにして折りたたむことができることが多い。
【００４５】
包装用容器１ａは、折りたたみ後には、ゴムバンドなど適宜の結束手段により複数個以上にまとめられて折りたたみ状態を保持される。そして、使用時にはこの結束手段を取り外すが、素材が有する反発力により両側片１４及び角底片１６がそれぞれ平坦に近い状態にまで自然に伸び、被包装物を収容するのに十分な収納口２２を形成することができる。
【００４６】
また、切り欠きＥ１は上記のように構成されているが、その形状などはこれに限られない。例えば、また、図７に示すように三角形状に切り欠いた切り欠きＥ２や、図８に示すように側片１４又は角底片１６の下端部より上方中心点に二本の斜線に沿うように切り欠いた切り欠きＥ３などのように構成しても良い。
【００４７】
また、図９及び図１０に示すように、切り欠きＥ４が、その高さα、すなわち角底片１６から収納口２２方向への長さが、側片１４又は角底片１６の幅、すなわち展開時の正面片１０と背面片１２との間隔の２分の１以上に設けられるものとすることもできる。このように切り欠きＥ２の高さαを設けることにより、側片１４及び角底片１６を内側に折りたたんだ際にも、折りたたんだ側片１４の側片中折り目１４ｂと角底片１６の角底片中折り目１６ｂとが互いに接触する位置にまで達することがない。よって、内側に折りたたまれる側片１４と角底片１６が互いに一切干渉しないように設けることができる。
【００４８】
また、そもそも内側に折りたたむ側片１４及び角底片１６は特に折りたたんだ先端部分、すなわち側片中折り目１４ｂ及び底片中折り目１６ｂ部分を中心として互いに干渉し合うことになる。したがって、実施例１のように側片１４又は角底片１６の幅全てに渡って切り欠いた切り欠きＥ１とは異なり、例えば図１１に示すように、側片中折り目１４ｂ又は底片中折り目１６ｂ部分を中心として左右に一定の幅だけを切り欠いた切り欠きＥ５としても、互いの干渉を回避することができ、当該部位における側片１４と角底片１６のいずれをも内側に容易に折りたたむことができる。
【００４９】
また、前述した切り欠きは、いずれも側片１４に設けるだけではなく、角底片１６に設けたり、これらの両方に設けることとしても良い。例えば、図１２及び図１３に示すように、側片１４側だけではなく角底片１６側にも切り欠きＥ６設けるように構成しても良い。また、図示は省略するが角底片１６側にだけ切り欠きＥ５を設けることとしても良い。
【００５０】
次いで、実施例１とは異なる本発明の別の包装用容器用シート３０について説明する。図１４に示すように、この包装用容器用シート３０は、正面片１０、背面片１２、両側片１４及び角底片１６が備えられており、正面片１０と角底片１６との境界には正面片１０に対して角底片１６が内側に折り曲げられるように設けられた正面側折り目１６ａが形成され、また、背面片１２と角底片１６との境界には背面片１２に対して角底片１６が内側に折り曲げられるように設けられた背面側折り目１６ｃが形成されている。また、角底片１６の短手方向の中央には、正面側折り目１６ａ及び背面側折り目１６ｃと平行に、底片中折り目１６ｂが形成されており、底片中折り目１６ｂは、正面側折り目１６ａ及び背面側折り目１６ｂとは反対に、包装用容器１ｂ内側に向けて突設するように形成されている。また、両側片１４はそれぞれ背面片１２の左右端部に連接されており、連接部位には、側片折り目１４ａが形成されている。また、両側片１４の短手方向の中央には、正面片１０及び背面片１２と平行に、側片中折り目１４ｂが形成されている。側片中折り目１４ｂは、側片折り目１４ａとは反対に、包装用容器１ｂ内側に向けて突設するように形成されている。そして、両側片１４の下端は背面片１２よりも上方までにとどまる長さに設けられており、両側片１４の下端と角底片１６の両端との間に切り欠きＥ１が形成されるように設けられている。
【００５１】
そしてまた、両側片１４の背面片１２と反対側端部には糊代片１８が連接されており、連接部位には、糊代片折り目１８ａが形成されている。糊代片１８は上方寄りの幅広部１８ｂと下方寄りの幅狭部１８ｃとから構成されている。幅広部１８ｂの上端部は背面片１２及び両側片１４の上端部と同位置に形成されている。
【００５２】
一方、幅狭部１８ｃの下端部は、両側片１４の下端部よりも下方まで延設されており、背面片１２の下端部と同位置に形成されている。よって、両側片１４の下端の切り欠きＥの両横の部位は背面片１２の下端部と糊代片１８の幅狭部１８ｃの下端部とにより囲まれるようにして補強がなされている。
【００５３】
このように構成された包装用容器用シート３０は、図１５に示すように、糊代片折り目１８ａを正面片１０の側端部に一致させる位置に配置させて、糊代片１８を正面片に糊付けすることにより、使用時には図１６に示すような収納部２０を一つ備えた包装用容器１ｂを形成することができる。
【００５４】
また、正面片１０及び背面片１２の上端には、取り出し用切り欠き２４が形成されている。  このような取り出し用切り欠き２４を設けることにより、包装用容器の収納部２０内に収納された被収納物が収納部２０奥に有る場合でも直接掴み易くすることができる。よって、被収納物の取り出しを容易にすることができる
【００５５】
次いで、さらに別の本発明の別の包装用容器用シート４０について説明する。図１７に示すように、この包装用容器用シート４０は、図１４に示す包装用容器用シート３０の二つを、正面片１０の上端部において、上下対象となるように連設したものである。包装用容器用シート４０は前述した包装用容器用シート３０ａ，３０ｂが正面片１０の上端部において連設され、この連設部位に形成された基準折り目４２において折り曲げ自在に構成されている。
【００５６】
そして、この基準折り目４２に沿って包装用容器用シート３０ａ、３０ｂを折りたたむと共に、それぞれの包装用容器用シート３０ａ，３０ｂについて、前述した包装用容器用シート３０と同様に、糊代片折り目１８ａを正面片１０の側端部に一致させる位置に配置させて、糊代片１８を正面片に糊付けすることにより、使用時には図１８に示すような収納部２０を二つ備えた包装用容器１ｃを形成することができる。
【００５７】
また、このような包装用容器１ｃをさらに連設して、例えば図１９に示すような、収納部２０が四つ以上となるような包装用容器１ｄとすることもできる。
【００５８】
また、このような包装用容器１ｄにおいて、図２０に示すような中シート５０を取り付けることとしても良い。中シート５０は、正面視において横長の長方形状に形成される軟質プラスチック製のシートであり、図２１に示すように、正面視において中央やや上方寄りに、差し入れ口５２が開口された取っ手５４が、下方寄りに結合用シート部５６が備えられている。そして、この中シート５０の結合用シート部５６を、図２０に示すように、包装用容器１ｄを構成する二つの包装用容器１ｃの間に挟着して、収納部２０に被収納物を収納した際に容易に持ち運びが可能な包装用容器１ｅ得ることができる。
【産業上の利用可能性】
【００５９】
本発明は包装用容器、包装用容器用シートに広く用いることができる。
【符号の説明】
【００６０】
１ａ〜１ｅ；包装用容器、２；バックシート、３；エンボスフィルム、１０；正面片、１２；背面片、１２ａ；左背面片、１２ｂ；右背面片、１２ｃ；背面側折り目、１４；両側片、１４ａ；側片折り目、１４ｂ；側片中折り目、１６；角底片、１６ａ；正面側折り目、１６ｂ；底片中折り目、１６ｃ；背面側折り目、１８；糊代片、１８ａ；糊代片折り目、１８ｂ；幅広部、１８ｃ；幅狭部、２０：収納部、２２；収納口、２４；取り出し用切り欠き、３０；包装用容器用シート、４０；包装用容器用シート、４２；基準折り目、５０；中シート、５２；差し入れ口、５４；取っ手、５６；結合用シート部、Ｅ１〜Ｅ５；切り欠き、α；高さ（長さ）。
【図１】
2010168066.tif 000003
【図２】
2010168066.tif 000004
【図３】
2010168066.tif 000005
【図４】
2010168066.tif 000006
【図５】
2010168066.tif 000007
【図６】
2010168066.tif 000008
【図７】
2010168066.tif 000009
【図８】
2010168066.tif 000010
【図９】
2010168066.tif 000011
【図１０】
2010168066.tif 000012
【図１１】
2010168066.tif 000013
【図１２】
2010168066.tif 000014
【図１３】
2010168066.tif 000015
【図１４】
2010168066.tif 000016
【図１５】
2010168066.tif 000017
【図１６】
2010168066.tif 000018
【図１７】
2010168066.tif 000019
【図１８】
2010168066.tif 000020
【図１９】
2010168066.tif 000021
【図２０】
2010168066.tif 000022
【図２１】
2010168066.tif 000023